(57)【要約】      （修正有）【課題】  ３波長の半導体レーザと幅広のＦＦＣを接続配置したピックアップを備えた光ディスク装置におけるピックアップの放熱を確実に実現する。【解決手段】  筐体９、１０内に挿入可能に取り付けられたトレイ２とを備え、筐体内には、ディスクモータ３と、光ピックアップ４や移動機構を備え、光ピックアップが移動するユニットメカシャーシ５と、その下方に配置されて光ピックアップを制御する制御基板とを備え、かつ、制御基板と光ピックアップとの間を幅広のフレキシブルケーブル８により電気的に接続した光ディスク装置において、光ピックアップは、３個の異なる波長のレーザ光を発光する素子を含むレーザユニットを搭載し、トレイの左奥の表面の一部に貫通部２ｂと壁部２ｅを設け、シャーシの一部に切欠き部５５を形成し、もって、光ディスクの回転に伴って発生する空気流を光ピックアップに確実に導く。【選択図】図１
2008186501.tif 000002
【特許請求の範囲】
【請求項１】
筐体と、前記筐体内に挿入可能に取り付けられたトレイとを備え、当該筐体内には、装填された光ディスクを装着して所定の回転速度で回転駆動する手段と、当該光ディスクの記録面にレーザ光を照射して情報を記録し、又は、その反射光により記録情報を再生するための光ピックアップと、前記光ピックアップを、装置に装填された光ディスクの半径方向に移動するための機構を備えると共に、当該光ピックアップが移動するための貫通部を形成したシャーシ部と、当該シャーシ部の下方に配置されると共に、前記光ピックアップを制御するための制御部を備えた制御基板とを備え、かつ、前記制御基板と前記光ピックアップとの間を幅広のフレキシブルケーブルにより電気的に接続した光ディスク装置において、
前記光ピックアップは、異なる波長のレーザ光を発光する素子を含むレーザ発光部を、少なくとも３個、一体に搭載しており、
前記トレイの左奥表面の一部に、前記光ディスクの回転に伴って発生する空気流を当該トレイの下方に導くための通路を形成すると共に、
前記トレイを前記装置の筐体内に収納した状態において、前記貫通部と前記壁部の下部に位置するように、前記シャーシ部の一部に切欠き部を形成し、もって、前記貫通部と前記壁部を介して下方に導かれた空気流を、前記幅広のフレキシブルケーブルの配置にもかかわらず、前記光ピックアップに一体に内蔵した少なくとも３のレーザ発光部に導くことを特徴とする光ディスク装置。
【請求項２】
前記請求項１に記載した光ディスク装置において、空気流を前記トレイの下方に導くための通路は、当該トレイに形成した貫通部と壁部とから構成することを特徴とする光ディスク装置。
【請求項３】
前記請求項１に記載した光ディスク装置において、空気流を前記トレイの下方に導くための通路は、当該トレイに形成した貫通部と、当該貫通部に対応して前記筐体の一部に形成した壁部とから構成することを特徴とする光ディスク装置。
【請求項４】
前記請求項１に記載した光ディスク装置において、前記幅広のフレキシブルケーブルの幅は、前記光ピックアップが移動するために前記シャーシ部に形成した貫通部の幅に近いことを特徴とする光ディスク装置。
【請求項５】
前記請求項１に記載した光ディスク装置において、前記幅広のフレキシブルケーブルは、前記光ピックアップに搭載されたそれぞれ異なる波長のレーザ発光素子を個別に制御するための、複数の配線を含んでいることを特徴とする光ディスク装置。
【請求項６】
前記請求項５に記載した光ディスク装置において、前記光ピックアップに搭載されたレーザ発光部は、それぞれ、前記レーザ発光素子と、当該素子を駆動するための駆動回路を備えていることを特徴とする光ディスク装置。
【請求項７】
前記請求項６に記載した光ディスク装置において、前記レーザ発光素子は、ＣＤ、ＤＶＤ、Blu-ray DiscやHD DVDに対応したレーザ光をそれぞれ発光するレーザ発光素子を含んでいることを特徴とする光ディスク装置。
【発明の詳細な説明】
【技術分野】
【０００１】
本発明は、光学的に情報を記録する円盤状の記録媒体（光ディスク）に情報を記録又は再生する光ディスク装置に係り、特に、かかる光ディスク装置における光ピックアップの放熱技術に係る。
【背景技術】
【０００２】
光ディスクに情報を記録又は再生する光ディスク装置では、一般に、その光ディスクの記録時においては、記録のためのレーザ光を発生する半導体レーザ（レーザダイオード）や、当該半導体レーザを駆動するレーザドライバ回路から多大な熱が発生する。そのため、光ディスクの回転に伴う空気流を利用して、半導体レーザやドライバ回路を搭載する光ピックアップを冷却することが行なわれていた。即ち、ディスクの回転によって生じる空気の粘性流を利用して、トレイに設けられた第１の貫通部を通して光ピックアップに直接吹き付け、もって、光ピックアップを構成する半導体レーザとドライバ回路からの発熱を放熱させることが行われていた。
【０００３】
また、その他の従来技術として、上述したトレイに設けられた第１の貫通部
に依存しない放熱方法として、次のような技術が知られている。
【０００４】
まず、以下の特許文献１には、筐体に収納された光ディスクの上部に、光ディスクより下側の空気を流入させるための空気吸入構造を設け、更に、トレイの左奥に設けた第２の貫通部により排気口とペアを形成し、もって、光ディスク装置内において、トレイの上下間の対流を行い、光ピックアップや主基板から発生する熱を対流させながら放熱する構造が開示されている。
【０００５】
また、以下の特許文献２には、トレイの中央奥に貫通部を設け、ディスクの回転によって生じる空気の粘性流をトレイ下側に送り、もって、主基板の発熱を粘性流の対流によって放熱する構造が開示されている。
【特許文献１】特開２００６−１０７６０２号公報
【特許文献２】特開２００４−３１０８８３号公報
【発明の開示】
【発明が解決しようとする課題】
【０００６】
一方、情報記録媒体としての光ディスクには、従来のＣＤやＤＶＤと共に、更に、近年においては新たにＢＤも多く利用されてきており、それに伴って、光ディスク装置には、ＣＤやＤＶＤと共に、ＢＤにも対応可能な、即ち、３種類（３波長）のレーザ光源を備えたものが求められている。なお、かかる３波長対応可能な光ディスク装置においては、光ピックアップ上に３種類（３波長）の半導体レーザと共に夫々のドライバ回路を搭載しており、それに伴い、当該光ピックアップと主基板との間を接続するフレキシブルケーブル（以下ＦＦＣと略す）も、結線数の大幅な増加に伴って幅広となる。
【０００７】
即ち、３波長対応可能な光ディスク装置においては、３種類（３波長）の半導体レーザと夫々のドライバ回路の搭載により、光ピックアップ上での発熱源が増大しているが、他方、上記幅広のＦＦＣが当該光ピックアップを覆うように立ちはだかり、装置内における空気流の循環を妨げており、そのため、上述した従来技術による構造だけでは、光ディスクの回転に伴う空気流を光ピックアップに十分に送り込むことことが困難となるという問題点を生じていた。
【０００８】
そこで、本発明では、上述した従来技術における問題点に鑑み、即ち、３種類（３波長）の半導体レーザと夫々のドライバ回路を搭載すると共に、幅広のＦＦＣを接続配置した光ピックアップを備えた光ディスク装置においても、光ディスクの回転に伴う空気流による光ピックアップの放熱を、確実に実現することを可能とする光ディスク装置を提供することをその目的とする。
【課題を解決するための手段】
【０００９】
本発明によれば、上記の目的を達成するため、まず、筐体と、前記筐体内に挿入可能に取り付けられたトレイとを備え、当該筐体内には、装填された光ディスクを装着して所定の回転速度で回転駆動する手段と、当該光ディスクの記録面にレーザ光を照射して情報を記録し、又は、その反射光により記録情報を再生するための光ピックアップと、前記光ピックアップを、装置に装填された光ディスクの半径方向に移動するための機構を備えると共に、当該光ピックアップが移動するための貫通部を形成したシャーシ部と、当該シャーシ部の下方に配置されると共に、前記光ピックアップを制御するための制御部を備えた制御基板とを備え、かつ、前記制御基板と前記光ピックアップとの間を幅広のフレキシブルケーブルにより電気的に接続した光ディスク装置において、前記光ピックアップは、異なる波長のレーザ光を発光する素子を含むレーザ発光部を、少なくとも３個、一体に搭載しており、前記トレイの左奥表面の一部に、前記光ディスクの回転に伴って発生する空気流を当該トレイの下方に導くための通路を形成すると共に、前記トレイを前記装置の筐体内に収納した状態において、前記貫通部と前記壁部の下部に位置するように、前記シャーシ部の一部に切欠き部を形成し、もって、前記貫通部と前記壁部を介して下方に導かれた空気流を、前記幅広のフレキシブルケーブルの配置にもかかわらず、前記光ピックアップに一体に内蔵した少なくとも３のレーザ発光部に導く光ディスク装置が提供される。
【発明の効果】
【００１０】
上述した本発明によれば、光ディスクの回転に伴う空気流により光ピックアップを放熱する光ディスク装置を提供することができる。
【発明を実施するための最良の形態】
【００１１】
以下、本発明の一実施の形態について、添付の図面を用いて説明する。
添付の図１は、本発明の一実施例になる光ディスク装置の外観図であり、この図において、符号１は、当該光ディスク装置により光学的に情報を記録する円盤状の記録媒体である光ディスクを示しており、当該光ディスク１は、光ディスク装置の一部を構成するディスク移送部材（所謂、トレイ）２の上に搭載されて装置の内部へ移送される。なお、このディスク移送部材（トレイ）２の略中央部には、第一の貫通部２ａが形成され、更に、その前側には左右対称に、前側貫通部２ｃ、２ｄが形成されている。加えて、このディスク移送部材（トレイ）２の左奥には、第二の貫通部２ｂが形成されると共に、当該貫通部２ｂの右端部から上方に伸びた壁部２ｅが形成され、もって、図に矢印で示すように、光ディスク１の回転に伴う空気流を流入する流路を形成している。更に、図中の符号２０aは、ディスク載置平面部を、そして、２１ａ、２１ｂは、ディスク載置切欠部を、それぞれ、示している。
【００１２】
また、図中の符号３は、上記光ディスク１を回転駆動するための回転装置であるディスクモータを示しており、４は光ピックアップを、５は上記光ピックアップ４を含むユニットメカシャーシを、６は上記ユニットメカシャーシ５を含めたユニットシャーシを、そして、７は各種の制御基板を取り付けた回路基板を、それぞれ示している。なお、図からも明らかなように、上記光ピックアップ４と上記回路基板７との間には、これらを電気的に接続するための幅広のフレキシブルケーブル（ＦＦＣ）８が取り付けられている。また、図中の符号９は、光ディスク装置の筐体上蓋であり、１０は筐体下蓋である。
【００１３】
なお、上記の光ピックアップ４は、以下の図３にも示すように、それぞれ波長の異なる３種類のレーザダイオード（レーザ発光素子）やそのドライバ回路（図３では、符号４１、４２、４３で示す）と共に、ここでは図示しない光学系のレンズ、温度検知手段、更には、これら３種類のレーザダイオードを切り替えるための機構等が内蔵されている。より詳細に説明すると、この光ピックアップ４は、ＣＤの記録・再生を行うＣＤ用レーザ光（波長：785nm）を発生するレーザダイオード、ＤＶＤ用のレーザ光（波長：660nm）、更に、加えてBlu-ray Disc（登録商標）やHD DVD（登録商標）といった青色レーザ光（波長：405nm）を発生するレーザダイオードを内蔵しており、これにより、従来のＣＤやＤＶＤの記録・再生に加えて、Blu-ray DiscやHD DVDの記録・再生をも可能となっている。
【００１４】
そして、上記光ピックアップ４は、上記ユニットメカシャーシ５に取り付けられた一対の案内軸（ガイドバー）５１、５２に沿って、移動可能に取り付けられており、ここでは図示しない駆動用のモータを含む移動機構により、図の矢印で示す方向（即ち、装置に搭載された光ディスク１の半径方向）に移動される。そして、このユニットメカシャーシ５には、上記光ピックアップ４が移動するため、その略中央部に形成された貫通部５３と共に、後にも説明するように、上記ディスク移送部材（トレイ）２が装置の筐体９、１０の内部に収納された状態において上記の貫通部２ｂや壁部２ｅの下部になる位置に、空気流の流路を形成するたの切欠き部５５が設けられている。
【００１５】
続いて、上記に詳細構造を説明した光ディスク装置における光ピックアップの放熱（冷却）について、添付の図２及び図３を参照しながら以下に詳細に説明する。なお、図２は、上記図１に示した光ディスク装置における、特に、上記ディスク移送部材（トレイ）２の左奥に形成された第二の貫通部２ｂと壁部２ｅとからなる流路の近傍の拡大斜視図であり、図３は、上記光ディスク装置における光ピックアップ４を中心として、回路基板７上に搭載された制御基板７１との間に接続された幅広のフレキシブルケーブル（ＦＦＣ）８や上記ユニットメカシャーシ５を含め、これらを装置の下側から見た斜視図である。
【００１６】
なお、上記の構成を備えた光ディスク装置では、例えば、ここでは図示しないイジェクトボタンの操作により、ディスク移送部材（トレイ）２を装置の筐体９、１０の前面から排出し、当該排出したトレイ２のディスク載置平面部２０a上に光ディスク１を置き、その後、当該ディスク移送部材（トレイ）２を装置内部に挿入する。これにより、上記ディスクモータ３が上昇し、その先端に取り付けられたターンテーブルに光ディスク１を装着して所定の回転速度で当該光ディスクを回転駆動すると共に、上記光ピックアップ４を光ディスク１の半径方向に移動しながら、当該装着された光ディスクの種類（ＣＤ、ＤＶＤ、Blu-ray DiscやHD DVD）に対応したレーザ光を利用して、情報をその情報記録面に対して記録・再生を行なうこととなる。
【００１７】
その際、光ディスク１の回転に伴う（即ち、空気の粘性による）空気流は、これらの図からも明らかなように、即ち、まず図２に矢印で示すように、上記貫通部２ｂ及びその右端から上方に伸びた壁部２ｅにより、ディスク移送部材（トレイ）２の上面から下面へ流入する。その後、このトレイ２の下面へ流入した空気流は、更に、上記ユニットメカシャーシ５の一部に形成された切欠き部５５を介して、その下方へ流入することとなる。
【００１８】
その後、上記のようにトレイ２の下面へ流入し、更には、ユニットメカシャーシ５の下方へ流入した空気流は、添付の図３（下側からの斜視図）に矢印で示すように、発熱素子である半導体レーザやその駆動回路を複数（本例では３組、４１、４２、４３）内蔵してなる光ピックアップ４の周囲を覆うように配置された幅広のフレキシブルケーブル（ＦＦＣ）８の隙間を通って流れることとなる。即ち、空気流は、光ピックアップ４周辺の複数箇所に配置された半導体レーザとその駆動回路（以下、「レーザユニット」と言う）４１、４２、４３の表面に沿って流れる。そして、その際、各レーザユニット４１、４２、４３は、その表面に形成された冷却用のフィンなどを介してその発熱を空気流に対して放熱し、もって、光ピックアップ４の冷却を行なうことが可能となる。
【００１９】
なお、特に、ＣＤ、ＤＶＤ、Blu-ray DiscやHD DVDを含む各種の光ディスクに対応して情報をその情報記録面に対して記録・再生を行なう光ディスク装置では、光ピックアップ４上に３種類（３波長）の半導体レーザと共に夫々のドライバ回路を搭載しており、それに伴い、当該光ピックアップと主基板との間を接続するＦＦＣ８も、結線数の大幅な増加に伴って幅広となり（上記ユニットメカシャーシ５の中央部に形成した貫通部５３の幅に近く、例えば、貫通幅より２〜４ｍｍ程度だけ狭い）、当該光ピックアップを覆うように立ちはだかる。そのため、上述したように、上記貫通部２ｂと壁部２ｅにより、光ディスク１の回転に伴う空気流をトレイ２の下方へ導いても、当該幅広のＦＦＣ８が、当該空気流の光ピックアップ４への流れを妨げることとなる。
【００２０】
しかしながら、上記の本発明の一実施の形態になる構造によれば、当該光ピックアップを覆うように立ちはだかる幅広のＦＦＣ８に隣接して配置されるユニットメカシャーシ５には、上述した空気流のための流路を形成するため、その一部に切欠き部５５を設けている。このことから、上記貫通部２ｂと壁部２ｅを通ってトレイ２の下方に流入した空気流は、ユニットメカシャーシ５の上記切欠き部５５を介して略「Ｕ」字状に撓んだＦＦＣ８の側方の開口部から内部に流れ込み、光ピックアップ４に内蔵された複数（３個）の各レーザユニット４１、４２、４３を順次通過しながら、その反対側に流れ出る。これによれば、上述した幅広のＦＦＣ８の配置にも拘わらず、各レーザユニット４１、４２、４３は、その発熱を空気流に対して放熱し、もって、光ピックアップ４の冷却を確実に、効率的に行なうことが可能となる。
【００２１】
更に、本発明の他の実施の形態になる光ディスク装置について、以下に、添付の図４〜図６を参照しながら説明する。
【００２２】
まず、図４は、他の実施の形態になる光ディスク装置、特に、その筐体の上蓋の斜視図を示した図である。また、図５は図４のＡ−Ａ’断面図を示しており、この例では、上記図１や図２に示したように、トレイ２の左奥面の一部に形成した貫通部２ｂの右端から上方に伸びた壁部２ｅに代えて、光ディスク装置の筐体上蓋９の一部（上記壁部２ｅに対応する部分）を、例えば、押圧加工によって（又は、一部を切断して折り曲げて）下側に突出させ、もって、壁部９ｅとしたものである。
【００２３】
即ち、上記の壁部９ｅを形成した筐体上蓋９を、添付の図５（Ａ）に示すように、上記壁部９ｅがトレイ２の貫通部２ｂの右端上方を覆い、もって、上記壁部２ｅと同様に、光ディスク１の回転に伴う空気流をトレイ２の上面から下面へ流入させる。なお、かかる構成によれば、トレイ２の一部に形成した壁部２ｅよりも高い壁部９ｅとすること可能であることから、より多くの空気流を下面へ流入させて、もって、放熱効果をより大きくすることが出来る。また、同時に、トレイ２の一部には、貫通部２ｂだけを形成し、上記壁部２ｅを形成する必要がないことから、トレイの製造が容易となり、更には、壁部２ｅによる風切り音を防止することも可能となる。
【００２４】
又は、これに代えて、添付の図５（Ｂ）に示すように、上記貫通部２ｂと共にその右端に壁部２ｅを形成したトレイ２と組み合わせ、もって、光ディスク１の回転に伴う空気流をトレイ２の上面から下面へ流入させるための流路を形成してもよい。
【００２５】
更に、上記トレイ２の一部に形成する貫通部２ｂについても、上記の実施の形態の形状に限られることなく、例えば、添付の図６にも示すように、貫通部２ｂを更に伸ばして、例えば、トレイ２の端部に届くまで延長してもよい。この場合、トレイ２が挿入された際、上記壁部９ｅの先端が貫通部２ｂとはめ合う構成としてもよい。上記同様、より多くの空気流を下面へ流入させて、放熱効果をより大きくすることが出来るからである。また、壁部２ｅによる風切り音を防止することも可能となる。
【００２６】
なお、本発明では、前記に記載した光ディスク装置において、空気流を前記トレイの下方に導くための通路は、当該トレイに形成した貫通部と壁部とから、又は、当該トレイに形成した貫通部と、当該貫通部に対応して前記筐体の一部に形成した壁部とから構成することが好ましい。更に、本発明によれば、前記幅広のフレキシブルケーブルの幅は、前記光ピックアップが移動するために前記シャーシ部に形成した貫通部の幅に近く、又は、前記幅広のフレキシブルケーブルは、前記光ピックアップに搭載されたそれぞれ異なる波長のレーザ発光素子を個別に制御するための、複数の配線を含んでいる。加えて、前記光ピックアップに搭載されたレーザ発光部は、それぞれ、前記レーザ発光素子と、当該素子を駆動するための駆動回路を備えており、更には、前記レーザ発光素子は、ＣＤ、ＤＶＤ、Blu-ray DiscやHD DVDに対応したレーザ光をそれぞれ発光するレーザ発光素子を含んでいることが好ましい。
【００２７】
上述した本発明によれば、対応可能な光ディスクの種類の増大に伴い、複数種類（３波長）の半導体レーザと夫々のドライバ回路を搭載し、かつ、幅広のＦＦＣを接続配置した光ピックアップを備えた光ディスク装置においても、光ディスクの回転に伴う空気流による光ピックアップの放熱を、確実に実現する光ディスク装置を提供するという優れた効果を発揮する。
【図面の簡単な説明】
【００２８】
【図１】本発明の一実施の形態になる光ディスク装置の全体構成を示すための展開斜視図である。
【図２】上記光ディスク装置における、ディスク移送部材（トレイ）に形成された第二の貫通部と壁部とからなる流路の近傍の拡大斜視図である。
【図３】上記光ディスク装置の光ピックアップを中心として、制御基板との間に接続された幅広のフレキシブルケーブル（ＦＦＣ）やユニットメカシャーシを含めてこれらを装置の下側から見た斜視図である。
【図４】本発明の他の実施の形態になる光ディスク装置を説明するための筐体上蓋の斜視図である。
【図５】上記筐体上蓋のＡ−Ａ’断面を示す断面図である。
【図６】本発明の他の実施の形態になる光ディスク装置を説明するためのトレイの斜視図である。
【符号の説明】
【００２９】
１…光ディスク
２…ディスク移送部材（トレイ）
２ｂ…貫通部
２ｅ…壁部
３…ディスクモータ
４…光ピックアップ
４１、４２、４３…レーザユニット
５…ユニットメカシャーシ
５３…貫通部
５５…切欠き部
６…ユニットシャーシ
７１…制御基板
８…フレキシブルケーブル（ＦＦＣ）
９、１０…筐体上下蓋
【図１】
2008186501.tif 000003
【図２】
2008186501.tif 000004
【図３】
2008186501.tif 000005
【図４】
2008186501.tif 000006
【図５】
2008186501.tif 000007
【図６】
2008186501.tif 000008
【手続補正書】
【提出日】平成19年3月5日(2007.3.5)
【手続補正１】
【補正対象書類名】図面
【補正対象項目名】全図
【補正方法】変更
【補正の内容】
【図１】
2008186501.tif 000009
【図２】
2008186501.tif 000010
【図３】
2008186501.tif 000011
【図４】
2008186501.tif 000012
【図５】
2008186501.tif 000013
【図６】
2008186501.tif 000014